(57)【要約】【課題】放送コンテンツの中の特定のイベントのみをリアルタイムに見ることを可能にする。【解決手段】放送コンテンツにおいて発生する特定のイベントの情報を作成するイベント情報作成手段と、前記イベント情報作成手段により作成されたイベント情報を送信するイベント情報送信手段と、前記イベント情報から希望のイベントを選択する希望イベント選択手段と、前記イベント情報の特定のイベントが発生したときにイベント発生の通知を行うイベント発生通知手段と、前記イベント情報送信手段と前記イベント発生通知手段からのイベント情報及びイベント発生情報を供給する通信手段と、前記希望イベント選択手段からの希望イベント情報と前記イベント発生通知手段からのイベント発生情報から放送コンテンツを選択する番組切替手段とを備える。【選択図】図１
2005229493.tif 000002
【特許請求の範囲】
【請求項１】
放送コンテンツにおいて発生する特定のイベントの情報を作成するイベント情報作成手段と、前記イベント情報作成手段により作成されたイベント情報を送信するイベント情報送信手段と、前記イベント情報から希望のイベントを選択する希望イベント選択手段と、前記イベント情報の特定のイベントが発生したときにイベント発生の通知を行うイベント発生通知手段と、前記イベント情報送信手段と前記イベント発生通知手段からのイベント情報及びイベント発生情報を供給する通信手段と、前記希望イベント選択手段からの希望イベント情報と前記イベント発生通知手段からのイベント発生情報から放送コンテンツを選択する番組切替手段とを備えた番組選択システム。
【発明の詳細な説明】
【技術分野】
【０００１】
本発明は、テレビジョン等の放送において、視聴者が放送コンテンツ中の所望のイベントのみを効率よく選択して、リアルタイムで見るための番組選択システムに関するものである。
【背景技術】
【０００２】
従来、テレビジョン視聴者は、放送を視聴する際に、新聞のテレビ欄やＴＶガイドブックなどより放送時間と内容を確認し、放送番組を選択する。近年は、電子番組ガイド機能により、番組データ放送局から、テレビ電波のすき間を利用して送られてくる番組表などの情報を受信機で受信し、数日先までの番組表を確認したり、番組の視聴予約をしたりすることができるようになっている。
【０００３】
しかしながら、上記の番組表は、およそ１時間の番組に対して、数十字で表現されており、番組の概要は確認できるが、詳細を知るには不十分である。たとえば、バラエティーの特定のコーナーがどの時間に行われるかはわからない。また、スポーツ中継などにおいて、ある人気選手の出場する時間は事前に特定することができない。ここで、番組中でおこる特定の事象をイベントと定義する。このような、イベントだけを見たいとしても、視聴者は、その番組の最初から続けて見ていなければならず、少し目を離した間に、あるいは少しだけチャンネルを変えた間に、そのイベントが終わっているということがよくある。
【０００４】
この改善策として、録画したテレビ番組のうち見たいシーンだけを選んで見ることができるインデックス配信システムがある。図５において、録画装置１１がテレビ放送の番組を録画すると同時に、インデックス配信装置１２がその番組のシーンインデックスを作成する。シーンインデックスは、番組中に現れる各シーンの発生時刻や内容を示す情報である。番組終了後このシーンインデックスはインデックス配信装置から録画装置に配信される。録画装置の利用者は、配信されたインデックスに基づいて録画した番組から所望のシーンのみを選択的に再生する。
【０００５】
しかしながらこの方法では、録画が終了するまで所望のシーンを再生することができず、特にスポーツ中継のような番組においては、すでに勝敗の結果が決まってから所望のシーンを見ることになるので、興味が減退する。
【特許文献１】特開２００２−２６２２２４号公報
【発明の開示】
【発明が解決しようとする課題】
【０００６】
解決しようとする問題点は、放送コンテンツの中の特定のイベントをリアルタイムに見るためには、コンテンツの最初から続けて見ていなければならない点である。
【課題を解決するための手段】
【０００７】
本発明は、放送コンテンツにおいて発生する特定のイベントの情報を作成するイベント情報作成手段と、前記イベント情報作成手段により作成されたイベント情報を送信するイベント情報送信手段と、前記イベント情報から希望のイベントを選択する希望イベント選択手段と、前記イベント情報の特定のイベントが発生したときにイベント発生の通知を行うイベント発生通知手段と、前記イベント情報送信手段と前記イベント発生通知手段からのイベント情報及びイベント発生情報を供給する通信手段と、前記希望イベント選択手段からの希望イベント情報と前記イベント発生通知手段からのイベント発生情報から放送コンテンツを選択する番組切替手段とを備えたことを特徴とする。
【発明の効果】
【０００８】
本発明の番組選択システムは、視聴者がイベント情報から所望のイベントを選択し、イベント発生情報を受信することにより、放送局から送られてくるコンテンツをはじめから続けて見ることなく、所望のイベントのみを効率的に選択してリアルタイムに見ることができるという利点がある。
【発明を実施するための最良の形態】
【０００９】
（実施の形態１）
図１は、本発明システムの実施の形態の一例である。１は本発明の番組選択システムである。２は放送コンテンツにおいて発生する特定のイベント情報を作成するイベント情報作成手段、３はイベント情報作成手段３において作成されたイベント情報を送信するイベント情報送信手段、４は前記イベント情報作成手段２により作成されたイベント情報から希望するイベントを選択する希望イベント選択手段、５はイベント情報のイベントの発生を通知するイベント発生通知手段、６はイベント情報及びイベント発生情報を供給する通信手段、７はイベント発生情報に応じて番組を切り替える番組切替手段である。
【００１０】
この形態において、放送局８はイベント情報作成手段に放送コンテンツ及びコンテンツ情報を送信する。このコンテンツ情報は、例えば、すでに作成されたものであればその映像・音声である。また、台本などをもとに作られた番組であれば、その台本の内容などである。スポーツ中継のように今後に生放送するものであれば、出場チーム、出場選手など、放送前に入手しうる放送コンテンツの内容の詳細である。
【００１１】
イベント情報作成手段２においては、放送局８からの放送コンテンツ及びコンテンツ情報に基づき、イベント情報を作成する。イベント情報作成のオペレーターは、放送コンテンツ及びコンテンツ情報の調査を行い、図２に示すような画面に対して、イベントの入力を行う。イベントは例えば、野球中継であれば、人気選手の打席、特定チームの攻撃、ランナー３塁の場面、特定の回の攻撃、試合終了まで後一人のシーン、などである。バラエティー番組などであれば、特定のコーナー、特定のタレントの出演時間、などである。すでに作成された番組に対しては、時間などもインプットすることもできる。このようにして、イベント情報が作成される。
【００１２】
なお、ここでイベント情報の作成に関して、オペレーターによる内容調査を例に取ったが、すでに作成された番組においては、各画面のテロップなどを文字認識し、イベント情報を作成することも可能である。また、インターネットを利用して、例えば野球中継等で選手一覧を入手しイベント情報を作成してもよい。
【００１３】
イベント情報作成手段２により作成された、イベント情報をイベント情報送信手段３と通信手段６を用いて送信する。通信手段６としては、放送局８からのコンテンツの配信の電波に重畳させてもよいし、インターネットや電話回線を利用して送信を行うことも可能である。イベント情報送信手段３は、通信手段６に対応したプロトコルを有して、通信手段６に対してイベント情報の送信を行う。
【００１４】
希望イベント選択手段４により、視聴者９は、イベント情報送信手段３と通信手段６によって送られてきたイベント情報から、視聴したいイベントを選択する。希望イベント選択手段４は図３に示すような画面を表示する。この画面には、コンテンツの日時、表題、イベントの内容が表示される。イベントの出現時間があらかじめ決まっていれば、その時間を表示してもよい。この画面には番組に関連した内容の広告などを表示する事も可能である。例えば、野球の中継であれば、野球用品の広告あるいは人気選手の出演する広告などである。バラエティー番組であれば番組に出演するタレントの出演する広告である。番組全体のスポンサーの広告をいれてもよいことはいうまでもない。この希望イベント選択画面の表示は、放送コンテンツを表示するモニタ１０と共通であってもよい。あるいはインターネットを表示するパソコン用モニタなどを用いてもよい。この画面に表示されたイベントに対して、番号入力、あるいはハイパーリンクをカーソルでクリックするなどによって、希望のイベントの情報を番組切替手段７に送信する。
【００１５】
イベント発生通知手段５は、イベント情報作成手段２で作成されたイベント情報に基づき、イベントが発生した際に、通信手段６に適した通信プロトコルに基づき、イベントの発生を通知する。イベント発生の通知は、あらかじめ作成された番組であり、イベント出現の時間が既知であれば、その時間に通知を行うように設定する。また、テロップなどから作成した一覧に対する通知は、そのテロップを文字認識した時点で通知を行うようにしてもよい。野球中継など、イベントの発生時間があらかじめわかっていない場合は、内容の監視員がコンテンツを監視し、イベントが発生した時点で、イベント発生通知手段５にその発生信号を入力し、通信手段６を通じてイベント発生を通知する。
【００１６】
番組切替手段７は、希望イベント選択手段４からの希望イベント情報をメモリに記録し、イベント発生通知手段５からのイベント発生情報が送信されてきたときに、放送局からのコンテンツを図４に示すようにそのイベントに切替え、モニタ１０に表示する。この際に、図４に示すように画面に「イベントが発生しました」などのコメントを表示してもよい。また、音声にてイベントの発生を通知してもよい。また、その際に、コメントに加えて、テロップなどで、広告を表示してもよい。
【００１７】
このようにして、イベント情報から所望のイベントを選択し、イベント発生情報を受信することにより、放送局からの送られてくるコンテンツをはじめから続けて見ることなく、所望のイベントのみを効率的に選択し、リアルタイムに見ることができる。
【００１８】
また、放送局はイベント情報画面に広告を入れることが可能である。
【００１９】
また、放送局はイベント発生画面に広告を入れる事が可能である。この広告は、視聴者が自ら選んだイベントに対するもので、受け入れられやすい。また、そのイベントの関連の広告であればなおさらである。
【００２０】
また、イベントは瞬間視聴率が高くなるので、より効果の高い広告が可能である。
【産業上の利用可能性】
【００２１】
本発明の番組選択システムは、イベント情報から所望のイベントを選択し、イベント発生情報を受信することにより、所望のイベントのみを効率的に選択してリアルタイムに見ることができ、テレビ放送の用途として有用である。
【図面の簡単な説明】
【００２２】
【図１】本発明の番組選択システムの構成を示すブロック図
【図２】イベント作成画面を示す図
【図３】イベント選択画面を示す図
【図４】イベント発生を示す図
【図５】従来のインデックス配信システムを示す図
【符号の説明】
【００２３】
１    番組選択システム
２    イベント情報作成手段
３    イベント情報送信手段
４    希望イベント選択手段
５    イベント発生通知手段
６    通信手段
７    番組切替手段
８    放送局
９    視聴者
１０    モニタ
１１    録画装置
１２    インデックス配信装置
【図１】
2005229493.tif 000003
【図２】
2005229493.tif 000004
【図３】
2005229493.tif 000005
【図４】
2005229493.tif 000006
【図５】
2005229493.tif 000007